(57)【要約】【課題】ターボ機械において翼形部シュラウドを翼形部に結合するための雄ねじ付きスタッドを有するほぞを含む翼形部シュラウドアセンブリを提供する。【解決手段】翼形部とシュラウド（１２０）のアセンブリは、根元端部（１１８）、自由端部（１２８）、および自由端部（１２８）から延在するほぞ（１５０）を含む翼形部を含み、ほぞ（１５０）は、基部（１２４）と、基部（１２４）から延在する雄ねじ付きスタッド（１５４）と、を含む。シュラウド（１２０）は、ほぞ（１５０）の基部（１２４）を受け入れるように構成された開口部（１５６）を含む。ナット（１７０）は、シュラウド（１２０）を翼形部に結合するために、翼形部上のほぞ（１５０）の雄ねじ付きスタッド（１５４）に螺合するように構成される。【選択図】図２
2020045898.tif 000002
【特許請求の範囲】
【請求項１】
翼形部およびシュラウド（１２０）のアセンブリ（１０２）であって、
根元端部（１１８）、自由端部（１２８）、および前記自由端部（１２８）から延在するほぞ（１５０）を含む翼形部本体（１３２）であって、前記ほぞ（１５０）が、基部（１２４）と、前記基部（１２４）から延在する雄ねじ付きスタッド（１５４）と、を含む、翼形部本体（１３２）と、
前記ほぞ（１５０）の前記基部（１２４）を受け入れるように構成された開口部（１５６）を含むシュラウド（１２０）と、
前記シュラウド（１２０）を前記翼形部に結合するために、前記翼形部本体（１３２）上の前記ほぞ（１５０）上の前記雄ねじ付きスタッド（１５４）に螺合するように構成されたナット（１７０）と、
を含むアセンブリ（１０２）。
【請求項２】
前記ほぞ（１５０）の前記基部（１２４）を受け入れるための第１の内部開口部（１６２）と、前記雄ねじ付きスタッド（１５４）が貫通することができる第２の内部開口部（１６６）と、前記シュラウド（１２０）の前記開口部（１５６）の内面（１５８）と係合するように構成された外面（１６４）と、を有するブッシング（１６０）をさらに含む、請求項１に記載のアセンブリ（１０２）。
【請求項３】
前記ナット（１７０）は一体型ワッシャ（１７２）を含む、請求項２記載のアセンブリ（１０２）。
【請求項４】
前記ブッシング（１６０）は、前記一体型ワッシャ（１７２）の直径と同じ直径を有する半径方向外面（１６８）を有する、請求項３記載のアセンブリ（１０２）。
【請求項５】
前記根元端部（１１８）は、ターボ機械（１００）の外側ケーシング（１１６）に結合されるように構成され、前記自由端部（１２８）は、前記ターボ機械（１００）のロータ（１１０）に向かって半径方向内向きに延在する、請求項１に記載のアセンブリ（１０２）。
【請求項６】
前記シュラウド（１２０）は複数の前記開口部（１５６）を含み、各開口部（１５６）がそれぞれの翼形部本体（１３２）の前記ほぞ（１５０）の前記基部（１２４）を受け入れるように構成される、請求項１記載のアセンブリ（１０２）。
【請求項７】
ターボ機械（１００）用のベーン（１１２）であって、
自由端部（１２８）および根元端部（１１８）を含む翼形部本体（１３２）であって、前記根元端部（１１８）が前記ターボ機械（１００）の外側ケーシング（１１６）に取り付けられるように構成された、翼形部本体（１３２）と、
前記翼形部本体（１３２）の前記自由端部（１２８）から延在するほぞ（１５０）であって、シュラウド（１２０）の開口部（１５６）に受け入れられるように構成された基部（１２４）と、前記基部（１２４）から延在する雄ねじ付きスタッド（１５４）と、を含むほぞ（１５０）と、
を含むベーン（１１２）。
【請求項８】
前記ホルダは、前記ターボ機械（１００）の外側ケーシング（１１６）を含む、請求項７に記載のベーン（１１２）。
【請求項９】
ベーン（１１２）およびシュラウド（１２０）のアセンブリ（１０２）であって、
根元端部（１１８）、自由端部（１２８）、および前記自由端部（１２８）から延在するほぞ（１５０）を含む翼形部本体（１３２）を含むベーン（１１２）であって、前記根元端部（１１８）が、ターボ機械（１００）の外側ケーシング（１１６）に結合されるように構成され、前記自由端部（１２８）が、前記ターボ機械（１００）のロータ（１１０）に向かって半径方向内側に延在し、前記ほぞ（１５０）が、前記基部（１２４）と、前記基部（１２４）から延在する雄ねじ付きスタッド（１５４）と、を含む、ベーン（１１２）と、
開口部（１５６）を含むシュラウド（１２０）と、
前記ほぞ（１５０）の前記基部（１２４）を受け入れるための第１の内部開口部（１６２）と、前記雄ねじ付きスタッド（１５４）が貫通することができる第２の内部開口部（１６６）と、前記シュラウド（１２０）の前記開口部（１５６）の内面（１５８）と係合するように構成された外面（１６４）と、を有するブッシング（１６０）と、
前記シュラウド（１２０）を前記翼形部に結合するために、前記翼形部本体（１３２）上の前記ほぞ（１５０）上の前記雄ねじ付きスタッド（１５４）に螺合するように構成されたナット（１７０）と、
を含むアセンブリ（１０２）。
【請求項１０】
前記ナット（１７０）は一体型ワッシャ（１７２）を含む、請求項９記載のアセンブリ（１０２）。
【発明の詳細な説明】
【技術分野】
【０００１】
本開示は、概してターボ機械に関し、より詳細には、ターボ機械において翼形部シュラウドを翼形部に結合するための雄ねじ付きスタッドを有するほぞを含む翼形部シュラウドアセンブリに関する。
【０００２】
ターボ機械には、固定翼形部を含むステータベーンと回転する翼形部を含むロータブレードまたはバケットとを含む、１つまたは複数の列の翼形部を含む。ターボ機械は、ガスタービン、ジェットエンジン、蒸気タービン、圧縮機などの様々な形態をとることができる。ガスタービンシステムは、例えば、前部に軸流圧縮機、中央部の周りに１つまたは複数の燃焼器、後部にタービンを含むことができる。軸流圧縮機は、例えば、一連の段を有し、各段は、１列のロータブレードと、それに続く１列の固定ステータベーンと、を含む。したがって、各段は、一般に、一組のロータブレードおよびステータベーンを含む。軸流圧縮機では、ロータブレードは、入口を通って入る流体の運動エネルギーを増加させ、ステータベーンは、流体の増加した運動エネルギーを拡散によって静圧に変換する。したがって、両方の組の翼形部は、流体の圧力を増加させる上で極めて重要な役割を果たす。ステータベーンが作動流体の運動エネルギーをロータブレードに導いて、入口を通ってターボ機械に流入する作動流体の運動エネルギーがロータブレードによって回転エネルギーに変換されるターボ機械の他の形態でも同様の動力学が観察される。どのシステムでも、作動流体のタイプは、ターボ機械のタイプ、例えば圧縮機内の空気、ガスタービン内の燃焼ガス、蒸気タービン内の蒸気などによって異なる。
【０００３】
ステータベーンの場合、一組の翼形部は翼形部の基部で接続されてセグメントを形成し、内側シュラウドによってセグメント内の隣接する翼形部に接続されてもよい。多くの用途では、一体型の基部、ステータベーン、およびベーンシュラウドを製造することは実際的ではない。したがって、セグメント内の各ステータベーンは、しばしば一体の基部セクションを含んで独立して製造され、完全なセットに組み立てられ得る。シュラウドは、ステータベーンの内側に向いた端部に取り付けられる１つまたは複数の別個の構成要素として製造されてもよい。いくつかの実施形態では、各ステータベーンに対して単一のベーンシュラウドが提供される。他の実施形態では、複数の隣接するステータベーンをマルチベーンシュラウドに取り付けることができる。隣接する複数のステータベーンの結合は、渦のバーストまたは破壊に対処するのに役立つことができ、この渦の破裂または破壊は、作動流体がターボ機械を通過する際の旋回作動流体の流れ構造の急激な変化であって、機械に望ましくない振動を引き起こす可能性がある。軸流圧縮機などの一部のターボ機械では、特定の低温環境や部分負荷条件での動作を妨げる可能性があるため、渦のバーストがカンチレバーで支持された固定ベーンに課題をもたらす可能性がある。
【０００４】
ステータベーン、ベーンシュラウド、ならびにボルト、ブッシング、ワッシャ、ナット、およびその他の構成要素などの１つまたは複数の追加の取り付け構成要素は、ベーンシュラウドアセンブリと呼ぶことができる。ベーンおよびシュラウドはそれぞれ、互いに係合し取り付けるための機能を含んでもよい。いくつかの配置では、ベーンは、シュラウドの適合開口部の中におよび／または通って延在するほぞまたは翼形部の端部からの延長部を組み込み、ブッシングがシュラウドの開口部に挿入され、ほぞに結合された雄ねじ付きボルトで固定されて、シュラウドをベーンに取り付ける。このタイプの配置で固定ベーンにシュラウドを組み立てると、スペースの制約により簡単にアクセスできないため、小型のターボ機械で課題が生じる可能性がある。現在の手法の一つは、シュラウドをベーンに保持するために、固定ベーン上の雌ねじ付きほぞにねじ込む小さな雄ねじ付きボルトを採用している。この手法は、より小さなターボ機械内の小さなスペースに実装するのが難しく、耐久性に関して懸念がある。
【発明の概要】
【０００５】
本開示の第１の態様は、翼形部およびシュラウドのアセンブリを提供し、アセンブリは、根元端部、自由端部、および自由端部から延在するほぞを含む翼形部であって、ほぞが、基部と、基部から延在する雄ねじ付きスタッドと、を含む、翼形部と、ほぞの基部を受け入れるように構成された開口部を含むシュラウドと、シュラウドを翼形部に結合するために、翼形部上のほぞ上の雄ねじ付きスタッドに螺合するように構成されたナットと、を含む。
【０００６】
本開示の第２の態様は、ターボ機械用のベーンを提供し、ベーンは、自由端部および根元端部を含む翼形部本体であって、根元端部がターボ機械の外側ケーシングに取り付けられるように構成された、翼形部本体と、翼形部本体の自由端部から延在するほぞであって、シュラウドの開口部に受け入れられるように構成された基部と、基部から延在する雄ねじ付きスタッドと、を含むほぞと、を含む。
【０００７】
本開示の第３の態様は、ターボ機械を提供し、ターボ機械は、ロータを囲む外側ケーシングと、複数のベーンであって、各ベーンが、外側ケーシングに結合され、ロータに向かって半径方向内側端部まで内側に延在する半径方向外側端部と、半径方向内側端部から延在し、基部と基部から延在する雄ねじ付きスタッドとを含むほぞと、を有する翼形部本体を含む、複数のベーンと、一組の複数のベーンの各々のほぞの基部を受け入れるための複数の開口部を含むシュラウドと、シュラウドを一組の複数のベーンに結合するために、ほぞの雄ねじ付きスタッドの各々に螺合されたナットと、を含む。
【０００８】
本開示の第４の態様は、ベーンおよびシュラウドのアセンブリに関し、アセンブリは、根元端部、自由端部、および自由端部から延在するほぞを含む翼形部本体を含むベーンであって、根元端部が、ターボ機械の外側ケーシングに結合されるように構成され、自由端部が、ターボ機械のロータに向かって半径方向内側に延在し、ほぞが、基部と、基部から延在する雄ねじ付きスタッドと、を含む、ベーンと、開口部を含むシュラウドと、ほぞの基部を受け入れるための第１の内部開口部と、雄ねじ付きスタッドが貫通することができる第２の内部開口部と、シュラウドの開口部の内面と係合するように構成された外面と、を有するブッシングと、シュラウドを翼形部に結合するために、翼形部本体上のほぞ上の雄ねじ付きスタッドに螺合するように構成されたナットと、を含む。
【０００９】
本開示の例示的な態様は、本明細書で説明される問題および／または検討されていない他の問題を解決するように設計されている。
【００１０】
本開示のこれらおよび他の特徴は、本開示の様々な実施形態を示す添付の図面と併せて、本開示の様々な態様の以下の詳細な説明からより容易に理解される。
【図面の簡単な説明】
【００１１】
【図１】ガスタービンシステムの形態の例示的なターボ機械の概略図である。
【図２】図１のガスタービンで使用することができる例示的な圧縮機アセンブリの断面図である。
【図３】本開示の実施形態による単一の翼形部本体用の翼形部シュラウドアセンブリの正面図である。
【図４】本開示の実施形態による複数の翼形部本体用の翼形部シュラウドアセンブリの正面図である。
【図５】本開示の実施形態による翼形部シュラウドアセンブリの拡大断面図である。
【図６】本開示の別の実施形態による翼形部シュラウドアセンブリの拡大断面図である。
【図７】本開示の別の実施形態による翼形部シュラウドアセンブリの拡大断面図である。
【図８】本開示の実施形態による複数の翼形部本体用の翼形部シュラウドアセンブリの分解斜視図である。
【発明を実施するための形態】
【００１２】
本開示の図面は、原寸に比例していないことに留意されたい。図面は、本開示の典型的な態様だけを示すことを目的としており、したがって、本開示の範囲を限定するものとみなすべきではない。図面では、図面間で類似する符号は、類似する要素を表す。
【００１３】
最初の問題として、現在の開示を明確に説明するために、ターボ機械内の関連する機械構成要素を参照して説明するときに、特定の専門用語を選択することが必要になる。これを行う場合、可能な限り、一般的な工業専門用語が、その受け入れられた意味と同じ意味で使用および利用される。別途記載のない限り、このような専門用語は、本出願の文脈および添付の特許請求の範囲と一致する広義の解釈を与えられるべきである。当業者であれば、多くの場合、特定の構成要素がいくつかの異なるまたは重複する用語を使用して参照されることがあることを理解するであろう。単一の部品であるとして本明細書に記載され得るものは、複数の構成要素からなるものとして別の文脈を含み、かつ別の文脈で参照されてもよい。あるいは、複数の構成要素を含むものとして本明細書に記載することができるものは、単一の部品として他の場所で参照されてもよい。
【００１４】
さらに、本明細書ではいくつかの記述上の用語を定常的に使用する場合があり、この点についてこれらの用語を定義することが有用であることが証明されるはずである。これらの用語およびその定義は、別途記載のない限り、以下の通りである。本明細書で使用される「下流」および「上流」は、タービンエンジンを通る作動流体などの流体の流れ、例えば圧縮機を通る空気の流れに対する方向を示す用語である。「下流」という用語は、流体の流れの方向に相当し、「上流」という用語は、流れの反対の方向を指す。「前方」および「後方」という用語は、別途指定のない限り、方向を指し、「前方」はエンジンの前方または圧縮機端部を指し、「後方」はエンジンの後方またはタービン端部を指す。多くの場合、中心軸線に関して異なる半径方向位置にある部品を記述することが要求される。「半径方向」という用語は、軸線に垂直な移動または位置を指す。このような場合、第１の構成要素が第２の構成要素より軸線に近接して位置する場合には、本明細書では、第１の構成要素は第２の構成要素の「半径方向内側」または「内側」にあると述べることになる。一方、第１の構成要素が第２の構成要素より軸線から遠くに位置する場合には、本明細書では、第１の構成要素は第２の構成要素の「半径方向外側」または「外側」にあると述べることができる。「軸方向」という用語は、軸線に平行な移動または位置を指す。最後に、「円周方向」という用語は、軸線周りの移動または位置を指す。このような用語は、タービンの中心軸線に関連して適用することができることが理解されよう。
【００１５】
ある要素または層が別の要素または層に対して「上に」、「係合される」、「係合解除される」、「接続される」、または「結合される」と言及される場合には、他の要素または層に対して直接的に上に、係合され、接続され、または結合されてもよいし、あるいは介在する要素または層が存在してもよい。逆に、ある要素が、別の要素または層に対して「直接上に」、「直接係合される」、「直接接続される」または「直接結合される」と言及される場合には、介在する要素または層は存在しなくてもよい。要素間の関係を記述するために使用される他の単語も同様なやり方（例えば、「間に」に対して「直接間に」、「隣接する」に対して「直接隣接する」など）で解釈するべきである。本明細書で使用する場合、「および／または」という用語は、関連する列挙された項目のいずれかおよび１つもしくは複数のすべての組み合わせを含む。
【００１６】
上述のように、本開示は、根元端部、自由端部、および自由端部から延在するほぞを含む翼形部を含む翼形部およびシュラウドのアセンブリを提供する。従来のアセンブリとは対照的に、ほぞは、基部と、基部から延在する雄ねじ付きスタッドを含む。シュラウドは、ほぞの基部に構成された開口部を含む。ナットは、シュラウドを翼形部に結合するために、翼形部のほぞの雄ねじ付きスタッドに螺合するように構成される。翼形部とシュラウドのアセンブリは、より強力でより耐久性のある結合を提供する。さらに、翼形部シュラウドアセンブリは、渦バーストを低減し、二次流れ振動に対する応答を減衰させ、軸流圧縮機などの特定のターボ機械に対する低温の周囲または部分負荷動作の影響を低減する。
【００１７】
図１は、ガスタービンシステム１００の形態の例示的なターボ機械の概略図である。システム１００は、圧縮機１０２および燃焼器１０４を含む。燃焼器１０４は、燃焼領域１０５と、燃料ノズルアセンブリ１０６と、を含む。システム１００はまた、タービン１０８と、共通の圧縮機／タービンシャフト１１０（ロータ１１０と呼ばれることもある）と、を含む。一実施形態では、エンジン１００は、サウスカロライナ州Ｇｒｅｅｎｖｉｌｌｅのゼネラルエレクトリック社から市販されている、９ＦＢエンジンと呼ばれることもある、ＭＳ７００１ＦＢエンジンである。本開示は、いかなる特定のエンジンに限定されるものではなく、他のガスタービンおよびターボ機械と関連して埋め込まれてもよい。
【００１８】
動作中、空気は圧縮機１０２を通って流れ、圧縮空気が燃焼器１０４に供給される。具体的には、圧縮空気は、燃焼器１０４に一体化された燃料ノズルアセンブリ１０６に供給される。アセンブリ１０６は、燃焼領域１０５と流体連通している。燃料ノズルアセンブリ１０６はまた、燃料源（図１には示さず）と流体連通しており、燃料および空気を燃焼領域１０５に導く。燃焼器１０４は、燃料を点火して燃焼させる。燃焼器１０４は、ガス熱エネルギーが機械的回転エネルギーに変換されるタービン１０８と流体連通している。タービン１０８は、ロータ１１０に回転可能に結合されてロータ１１０を駆動する。圧縮機１０２はまた、シャフト１１０に回転可能に結合される。
【００１９】
図２は、図１のガスタービンシステム１００で使用することができる例示的な圧縮機アセンブリ１０２の断面図を示す。圧縮機アセンブリ１０２は、ベーン１１２およびロータブレード１１４を含む。各ベーン１１２は、半径方向外側の根元端部１１８によって外側ケーシング１１６に固定された圧縮機アセンブリ１０８内に保持され、半径方向内側の自由端部１２２上にシュラウド１２０を含む。ロータブレード１１４は、ロータ１１０に固定された半径方向内側の根元端部または基部１２４と、半径方向外側の自由端部１２６と、を含む。本開示の教示は、ベーン１１２の形態の翼形部自由端部１２２に関して説明される。この場合、根元端部１１８は、ターボ機械の外側ケーシング１１６に結合されるように構成され、自由端部１２８は、ターボ機械のロータ１１０に向かって半径方向内側に延在する。しかしながら、本開示の教示は、ロータブレード１１４用の翼形部にも適用可能であり得ることが強調される。さらに、本開示の教示は圧縮機アセンブリ１０８に関して説明されるが、本開示の実施形態による翼形部シュラウドアセンブリ１３０は、例えば、ガスタービンアセンブリ、蒸気タービン、ジェットエンジンなどを含む様々なターボ機械に適用することができる。
【００２０】
図３および図４は、例示的な翼形部シュラウドアセンブリ１３０を様々な図で示している。翼形部シュラウドアセンブリ１３０は、翼形部をシュラウドに結合し、設置された翼形部シュラウドアセンブリ１３０を形成するように組み立てられて取り付けられる様々な構成要素を含む。図３は、単一の翼形部本体１３２用の翼形部シュラウドアセンブリ１３０を示し、図４は、いくつかの翼形部本体１３２用の翼形部シュラウドアセンブリ１３０を示す。各翼形部本体１３２は、例えば外側ケーシング１１６（図２）への固定された結合のための一体型根元端部または基部１３４を含む。簡単にするために、ほとんどの図面では、リング、隣接する翼形部、および実際の設置で組み立てられる他のターボ機械部品がなく、一体化された根元端部または基部１３４を有する単一の翼形部本体１３２を含む単一の翼形部シュラウドアセンブリ１３０のみが示されている。
【００２１】
図５の拡大断面図に示すように、翼形部シュラウドアセンブリ１３０は、根元端部１３４（図３）、自由端部１４２、および自由端部１４２から延在するほぞ１５０を含む翼形部本体１３２を含む。ほぞ１５０は、基部１５２と、従来の構成とは対照的に、基部１５２から延在する雄ねじ付きスタッド１５４と、を含む。図５に示す一実施形態では、シュラウド１４０は、ほぞ１５０の基部１５２、すなわち基部１５２および／またはそれを貫通する雄ねじ付きスタッド１５４を受け入れるように構成された開口部１５６を含む。この実施形態では、基部１５２は、開口部１５６の内面１５８と係合することができる。あるいは、図６に示すように、翼形部シュラウドアセンブリ１３０は、ほぞ１５０の基部１５２を受け入れるための第１の内部開口部１６２と、シュラウド１４０の開口部１５６の内面１５８に係合するように構成された外面１６４と、を有するブッシング１６０を含むことができる。ブッシング１６０はまた、雄ねじ付きスタッド１５４が貫通することができる第２の内部開口部１６６を含むことができる。ブッシング１６０は、他の構成要素間の横方向の間隔を提供し、隣接する構成要素間の横方向接触面および非接触面の様々な構成を含むことができる。図８に最もよく示されているように、シュラウド１４０は、翼形部本体１３２のほぞ１５０の基部１５２の上に開口部１５６を配置することにより、自由端部１４２に設置される。提供される場合、ブッシング１６０は、開口部１５６をブッシング１６０および基部１５２の周りに横方向（例えば、同心状）に配置するようにほぞ１５０上に配置され得る。
【００２２】
翼形部シュラウドアセンブリ１３０はまた、翼形部本体１３２上のほぞ１５０の雄ねじ付きスタッド１５４に螺合して、シュラウド１４０を翼形部本体１３２に結合するように構成されたナット１７０を含む。ナット１７０は、雄ねじ付きスタッド１５４と嵌合するように構成された雌ねじ付き開口部１７４を有する任意の部材を含むことができる。一実施形態では、ナット１７０は一体型ワッシャ１７２を含むが、しかし、図７に示すように、ナット１７０がブッシング１６０またはシュラウド１４０に対して圧縮するのに十分な直径を有する場合、一体型ワッシャは必要ではない。
【００２３】
開口部１５６と基部１５２またはブッシング１６０との相互作用は、表面係合による応力伝達を可能にするようなサイズにされる。図６に示す一実施形態では、ブッシング１６０は、均一な力分布を提供するために、一体型ワッシャ１７２の直径と同じ直径Ｄを有する半径方向外面１６８（ブッシングの中心に対して）を有するが、しかし、これはすべての事例で必要なわけではない。
【００２４】
図８を参照すると、言及したように、シュラウド１４０は複数の開口部１５６を含むことができ、各開口部１５６は、それぞれの翼形部本体１３２のほぞ１５０を受け入れるように構成される。シュラウド１４０には５つの開口部１５６が示されているが、任意の数を採用することができる。当技術分野で理解されているように、複数のシュラウド１４０は、ロータ１１０（図２）の周りに完全なリングを形成し、任意の所望の数の個々の翼形部本体１３２を翼形部本体１３２の任意の数のセットに結合するように構成することができる。
【００２５】
本開示の実施形態によるターボ機械１００は、ロータ１１０を囲む外側ケーシング１１６と、その半径方向外側端部１３４で外側ケーシング１１６（図１）に結合され、ロータ１１０に向かってその半径方向内側の自由端部１４２まで内側に延在する複数のベーン１１２（図２）と、を含むことができる。各ベーン１１２は、外側ケーシング１１６に結合され、ロータに向かって半径方向内側の自由端部１４２まで内側に延在する半径方向外側の根元端部１３４を有する翼形部本体１３２と、半径方向内側端部１４２から延在するほぞ１５０と、を含む。上述のように、ほぞ１５０は、基部１５２と、基部から延在する雄ねじ付きスタッド１５４と、を含む。シュラウド１４０は、一組の複数のベーン１１２の各々のほぞ１５０の基部１５２を受け入れるための複数の開口部１５６を含む。例えば図６に示すように、翼形部シュラウドアセンブリ１３０は、ほぞ１５０の基部１５２を受け入れる内部開口部１６２と、シュラウド１４０の開口部１５６の内面１５８と係合するように構成された外面１６４と、を有するブッシング１６０も含むことができる。図８に示すように、シュラウド１４０は、翼形部本体１３２のほぞ１５０の基部１５２上に開口部１５６を配置することにより、自由端部１４２に設置される。提供される場合、ブッシング１６０は、開口部１５６をブッシング１６０および基部１５２の周りに横方向（例えば、同心状）に配置するようにほぞ１５０上に配置され得る。ナット１７０は、シュラウド１４０を一組の複数のベーン１１２に結合するために、ほぞ１５０上の雄ねじ付きスタッド１５４の各々に螺合する。ナット１７０は、一体型ワッシャ１７２を含むことができる。
【００２６】
シュラウド１４０、基部１５２およびスタッド１５４を含むほぞ１５０などの部品の表面は、取り付けの容易さおよび／または嵌合面を通る応力伝達のために所望される任意の方向に角度を付けることができることが理解されよう。翼形部シュラウドアセンブリ１３０の部品は、それらの機能に適した任意の材料、例えば、超合金、合金などで作製することができる。ほぞ１５０、ブッシング１６０およびシュラウド１４０の開口部１５６はほぼ円形であるように示されているが、構成要素の任意の２つの間の嵌合面は、例えば正方形、長方形、六角形などの多角形、楕円形または長円形などの種々の嵌合形状を有してもよいことが理解される。さらに、ブッシング１６０の基部１５２および嵌合する第１の内部開口部１６２は、図示するように六角形であってもよく、あるいは、例えば正方形、長方形、六角形などの多角形、楕円形または長円形などの種々の嵌合形状を有してもよい。
【００２７】
本開示の実施形態は、十分な耐久性および強度を備えた小型システムに使用できる翼形部シュラウドアセンブリを提供し、さらに二次流れ振動による渦バーストおよび減衰応答を低減する。
【００２８】
本明細書で使用される専門用語は、単に特定の実施形態を説明するためのものに過ぎず、本開示を限定するものではない。本明細書で使用する場合、単数形「１つの（ａ）」、「１つの（ａｎ）」および「この（ｔｈｅ）」は、特に明示しない限り、複数形も含むことが意図される。「含む（ｃｏｍｐｒｉｓｅ）」および／または「含んでいる（ｃｏｍｐｒｉｓｉｎｇ）」という用語は、本明細書で使用する場合、記載した特徴、整数、ステップ、動作、要素、および／または構成要素が存在することを明示するが、１つまたは複数の他の特徴、整数、ステップ、動作、要素、構成要素、および／またはそれらの組が存在することまたは追加することを除外しないことがさらに理解されよう。「任意の（ｏｐｔｉｏｎａｌ）」または「任意に（ｏｐｔｉｏｎａｌｌｙ）」は、続いて記載された事象または状況が生じてもよいし、また生じなくてもよいことを意味し、かつ、その説明が、事象が起こる場合と、事象が起こらない場合と、を含むことを意味する。
【００２９】
本明細書および特許請求の範囲を通してここで使用される、近似を表す文言は、関連する基本的機能に変化をもたらすことなく、差し支えない程度に変動できる任意の量的表現を修飾するために適用することができる。したがって、「およそ」、「約」および「実質的に」などの用語で修飾された値は、明記された厳密な値に限定されるものではない。少なくともいくつかの例では、近似を表す文言は、値を測定するための機器の精度に対応することができる。ここで、ならびに本明細書および特許請求の範囲を通して、範囲の限定は組み合わせおよび／または置き換えが可能であり、文脈および文言が特に指示しない限り、このような範囲は識別され、それに包含されるすべての部分範囲を含む。範囲の特定の値に適用される「約」は、両方の値に適用され、値を測定する機器の精度に特に依存しない限り、記載された値の＋／−１０％を示すことができる。
【００３０】
添付の特許請求の範囲におけるミーンズプラスファンクションまたはステッププラスファンクションの要素すべての、対応する構造、材料、動作および均等物は、具体的に請求された他の請求要素と組み合わせてその機能を遂行するための、一切の構造、材料または動作を包含することが意図されている。本開示の記述は、例示および説明の目的で提示されたもので、網羅的であることも、または本開示を開示した形態に限定することも意図していない。多くの変更および変形は、本開示の範囲および趣旨から逸脱することなく、当業者には明らかであろう。本開示の原理および実際の応用を最もよく説明し、想定される特定の使用に適するように様々な変更を伴う様々な実施形態の開示を他の当業者が理解できるようにするために、実施形態を選択し説明した。
【符号の説明】
【００３１】
１００  ガスタービンシステム、ターボ機械、エンジン
１０２  圧縮機、圧縮機アセンブリ
１０４  燃焼器
１０５  燃焼領域
１０６  燃料ノズルアセンブリ
１０８  タービン、圧縮機アセンブリ
１１０  ロータ、タービンシャフト
１１２  ベーン
１１４  ロータブレード
１１６  外側ケーシング
１１８  根元端部
１２０  シュラウド
１２２  自由端部
１２４  基部
１２６  自由端部
１２８  自由端部
１３０  翼形部シュラウドアセンブリ
１３２  翼形部本体
１３４  根元端部、基部、半径方向外側端部
１４０  シュラウド
１４２  自由端部、半径方向内側端部
１５０  ほぞ
１５２  基部
１５４  雄ねじ付きスタッド
１５６  開口部
１５８  内面
１６０  ブッシング
１６２  第１の内部開口部
１６４  外面
１６６  第２の内部開口部
１６８  半径方向外面
１７０  ナット
１７２  一体型ワッシャ
１７４  雌ねじ付き開口部
【図１】
2020045898.tif 000003
【図２】
2020045898.tif 000004
【図３】
2020045898.tif 000005
【図４】
2020045898.tif 000006
【図５】
2020045898.tif 000007
【図６】
2020045898.tif 000008
【図７】
2020045898.tif 000009
【図８】
2020045898.tif 000010
【外国語明細書】
2020045898000001.pdf
2020045898000002.pdf
2020045898000003.pdf
2020045898000004.pdf